(57)【要約】【課題】  異なる波長のレーザー光を受光する光検出器を兼用する光ピックアップ装置に適した装置を提供する。【解決手段】  規格の異なる各光ディスクに設けられている各信号記録層から反射される第１レーザー光及び第２レーザー光の戻り光が照射されるとともに第１レーザー光と第２レーザー光の受光部を兼用する受光部が設けられている光検出器と、光軸方向への変位動作及び光軸を中心とする回転変位動作により第１レーザー光の光軸を調整し、該第１レーザー光を前記受光部に導く回折光学素子とより成り、回折光学素子が固定されるホルダー１１を設けるとともに該ホルダー１１を光ピックアップ装置のハウジング１３に対して直線変位可能及び回転変位可能に設け、且つ該ホルダー１１をハウジング１３に対して押圧する板バネ１２の弾性力によって該ホルダー１１を調整可能状態に保持する。【選択図】  図１
2013186929.tif 000002
【特許請求の範囲】
【請求項１】
少なくとも波長が異なる第１レーザー光及び第２レーザー光を放射するレーザーダイオードと、該レーザーダイオードから放射される第１レーザー光及び第２レーザー光を規格の異なる各光ディスクに設けられている各信号記録層に集光させる対物レンズと、各信号記録層から反射される第１レーザー光及び第２レーザー光の戻り光が照射されるとともに第１レーザー光と第２レーザー光の受光部を兼用する受光部が設けられている光検出器と、光軸方向への変位動作及び光軸を中心とする回転変位動作により第１レーザー光の光軸を調整し、該第１レーザー光を前記受光部に導く回折光学素子とより成り、前記回折光学素子が固定されるホルダーを設けるとともに該ホルダーを光ピックアップ装置のハウジングに対して直線変位可能及び回転変位可能に設け、且つ該ホルダーをハウジングに対して押圧する板バネの弾性力によって該ホルダーを調整可能状態に保持するようにしたことを特徴とする光ピックアップ装置。
【請求項２】
板バネに一対の押圧腕部を設け、該押圧腕部をホルダーの上面に形成されている湾曲面に当接させることによってホルダーを調整可能状態に保持するようにしたことを特徴とする請求項１に記載の光ピックアップ装置。
【請求項３】
板バネを固定螺子の螺合によってハウジングに固定するとともに該板バネの位置を規定する位置規制部材をハウジングに形成したことを特徴とする請求項２に記載の光ピックアップ装置。
【請求項４】
ハウジングにＶ字溝を設け、該Ｖ字溝を構成する傾斜壁にて前記ホルダーを調整可能状態に保持するようにしたことを特徴とする請求項１に記載の光ピックアップ装置。
【請求項５】
ホルダーをハウジングに接着剤にて固定することによって回折光学素子の固定動作を行うようにしたことを特徴とする請求項１から請求項４に記載の光ピックアップ装置。
【請求項６】
ホルダー及びハウジングに接着剤を塗布する接着剤塗布部を形成したことを特徴とする請求項５に記載の光ピックアップ装置。
【請求項７】
ホルダーに形成されている接着剤塗布部とハウジングに形成されている接着剤塗布部とによって凹所を形成するようにしたことを特徴とする請求項６に記載の光ピックアップ装置。
【発明の詳細な説明】
【技術分野】
【０００１】
本発明は、光ディスクに記録されている信号の読み出し動作をレーザー光によって行う光ピックアップ装置に関する。
【背景技術】
【０００２】
光ピックアップ装置から照射されるレーザー光を光ディスクの信号記録層に照射することによって信号の読み出し動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、例えば波長が７８５ｎｍである赤外光が使用され、ＤＶＤ規格の光ディスクに記録されている信号の読み出し動作行うレーザー光としては、例えば波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作を行うためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作を行うことが出来る光ディスク装置が製品化されているが、斯かる光ディスク装置に組み込まれる光ピックアップ装置には、前述した各規格に対応した波長のレーザー光を放射するレーザーダイオードや該レーザーダイオードから放射されるレーザー光を各光ディスクに設けられている信号記録層に集光させる対物レンズが組み込まれている。
【００１０】
前述した異なる全ての規格の光ディスクに記録されている信号の読み出し動作を行うことが出来る多くの光ピックアップ装置には、ＣＤ規格及びＤＶＤ規格の光ディスクに対す
るレーザー光の集光動作を行う対物レンズとＢｌｕ−ｒａｙ規格の光ディスクに対するレーザー光の集光動作を行う対物レンズの２つの対物レンズが組み込まれている。
【００１１】
斯かる２つの対物レンズが組み込まれた光ピックアップ装置は、光学系の構成が複雑になるという問題があるだけでなく光ピックアップ装置の形状が大きくなるという問題がある。斯かる問題を解決する方法として１つの対物レンズにて全ての規格の光ディスクに対するレーザー光の集光動作を行うようにした技術が開発されている。(特許文献１参照。)
また、斯かる全ての規格の光ディスクに対するレーザー光の集光動作を１つの対物レンズにて行うように構成するだけでなく１つの光検出器にて光ディスクに設けられている信号記録層から反射されるレーザー光の検出動作を行うように構成された技術が開発されている。(特許文献２参照。)
そして、光ピックアップ装置では、光ディスクのレーザー光の入射面であるディスク面と信号記録層との間にある保護層の厚みに起因して球面収差が発生し、信号の読み出し動作や記録動作が正常に行えないという問題があり、斯かる問題を解決する方法としてレーザーダイオードと対物レンズとの間に設けられているコリメートレンズを光軸方向へ移動させて球面収差を補正する方法が多く採用されている。(特許文献３参照。)
【先行技術文献】
【特許文献】
【００１２】
【特許文献１】特開２００６−２３６４１４号公報
【特許文献２】特開２０１１−１７５６９０号公報
【特許文献３】特開２０１１−１００５２２号公報
【発明の概要】
【発明が解決しようとする課題】
【００１３】
第１、第２及び第３の波長が異なるレーザー光を放射するレーザーチップが同一の筐体内に組み込まれているレーザーダイオード及び該レーザーダイオードから放射される第１、第２及び第３レーザー光が入射されるとともに各レーザー光を異なる規格の光ディスクに設けられている信号記録層に集光させる対物レンズを備えた光ピックアップ装置について図６を参照にして説明する。
【００１４】
図６において、１は波長が４０５ｎｍの青紫色光である第１レーザー光を放射する第１レーザーチップ、波長が６５５ｎｍの赤色光である第２レーザー光を放射する第２レーザーチップ及び波長が７８５ｎｍの赤外色光である第３レーザー光を放射する第３レーザーチップが同一の筐体内に組み込まれているレーザーダイオードであり、光ディスクの種類に応じた波長のレーザー光を放射するレーザーチップに駆動信号が供給されるように構成されている。
【００１５】
２は前記レーザーダイオード１から放射される第１レーザー光、第２レーザー光及び第３レーザー光が入射される回折格子であり、サブビームを利用した光ピックアップ装置の制御動作を行うレーザー光を０次光であるメインビーム、＋１次光及び−１次光である２つのサブビームに分離する作用を成すものである。
【００１６】
３は前記回折格子２を透過したレーザー光が入射されるハーフミラーであり、前記レーザーダイオード１から放射されるＳ偏光光を反射させるとともにＰ偏光光を透過させるように構成されている。
【００１７】
４は前記ハーフミラー３にて反射されたレーザー光が入射される位置に設けられている１／４波長板であり、入射されるレーザー光を直線偏光光から円偏光光に、また反対に円偏光光から直線偏光光に変換する作用を成すものである。５は前記１／４波長板４を透過
したレーザー光が入射されるとともに入射されるレーザー光を平行光に変換するコリメートレンズであり、収差補正用モーター６によって回転駆動されるリードスクリュー６Ａによって光軸方向へ変位せしめられるように構成されている。即ち、前記収差補正用モーター６の回転によるリードスクリュー６Ａの回転駆動動作によって前記コリメートレンズ５の光軸方向への変位動作が行われ、斯かるコリメートレンズ５の変位動作によって光ディスクの保護層の厚さに基づいて生じる球面収差を補正するように構成されている。
【００１８】
７は前記コリメートレンズ５を透過したレーザー光が入射される位置に設けられている対物レンズであり、後述する各光ディスクに設けられている各信号記録層にレーザー光を集光させる作用を成すものである。尚、前記対物レンズ７の入射面には開口数を設定する回折輪帯等が設けられている。また、開口数を規制する開口数設定素子を対物レンズ７とコリメートレンズ５との間に設けることによって各レーザー光に適した開口数を設定するように構成することも出来る。
【００１９】
Ｌ１は光ディスクの表面から信号記録層までの距離が短い第１光ディスクＤ１(Ｂｌｕ
−ｒａｙ規格)における信号記録層、Ｌ２は光ディスクの表面から信号記録層までの距離
が第１光ディスクＤ１より長い第２光ディスクＤ２(ＤＶＤ規格)における信号記録層、Ｌ３は光ディスクの表面から信号記録層までの距離が第２光ディスクＤ２より長い第３光ディスクＤ３(ＣＤ規格)における信号記録層の位置を示すものである。
【００２０】
斯かる構成において、レーザーダイオード１に組み込まれている第１レーザーチップから放射された第１レーザー光は、回折格子２、ハーフミラー３、１／４波長板４及びコリメートレンズ５を介して対物レンズ７に入射された後、該対物レンズ７の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２１】
また、レーザーダイオード１に組み込まれている第２レーザーチップから放射された第２レーザー光は、前述した第１レーザー光と同様に回折格子２、ハーフミラー３、１／４波長板４及びコリメートレンズ５を介して対物レンズ７に入射された後、該対物レンズ７の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２２】
そして、レーザーダイオード１に組み込まれている第３レーザーチップから放射された第３レーザー光は、前述した第１レーザー光及び第２レーザー光と同様に回折格子２、ハーフミラー３、１／４波長板４及びコリメートレンズ５を介して対物レンズ７に入射された後、該対物レンズ７の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００２３】
各光ディスクＤ１、Ｄ２、Ｄ３に設けられている各信号記録層Ｌ１、Ｌ２、Ｌ３から反射された戻り光は、対物レンズ７、コリメートレンズ５及び１／４波長板４を通してハーフミラー３に入射される。このようにしてハーフミラー３に入射される戻り光は、前記１／４波長板４による位相変更動作によってＰ方向の直線偏光光に変更されている。従って、斯かる第１レーザー光、第２レーザー光及び第３レーザー光の戻り光は前記ハーフミラー３にて反射されることはなく制御用レーザー光として透過することになる。
【００２４】
８は前記ハーフミラー３を透過した制御用レーザー光が入射される収差補正板として作用するＡＳ板であり、前記ハーフミラー３にて生成される非点収差の大きさをフォーカス
エラー信号を生成するために適した大きさになるように補正する作用を成すとともに該ハーフミラー３にて発生するコマ収差を補正する作用を成すものである。９は前記ＡＳ板８を通して制御用レーザー光が照射される光検出器であり、周知の４分割センサー等の受光部が設けられている。
【００２５】
光ピックアップ装置は、前述した光検出器９に設けられている受光部へのメインビームの照射動作によって光ディスクの信号記録層に記録されている信号の読み取り動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００２６】
斯かる構成の光ピックアップ装置において、使用される光ディスクの規格に対応したレーザーチップに対して駆動信号が供給されることによってレーザーダイオード１から第１レーザー光、第２レーザー光及び第３レーザー光が放射される。前記レーザーダイオード１から放射される第１レーザー光、第２レーザー光及び第３レーザー光は、回折格子２、ハーフミラー３、１／４波長板４及びコリメートレンズ５を介して対物レンズ７に入射され、該対物レンズ７の集光動作によって第１光ディスクＤ１の信号記録層Ｌ１、第２光ディスクＤ２の信号記録層Ｌ２及び第３光ディスクＤ３の信号記録層Ｌ３に集光されることになる。
【００２７】
前記対物レンズ７の集光動作によって第１光ディスクＤ１の信号記録層Ｌ１、第２光ディスクＤ２の信号記録層Ｌ２及び第３光ディスクＤ３の信号記録層Ｌ３に集光された第１レーザー光、第２レーザー光及び第３レーザー光は、各信号記録層にて反射された後、対物レンズ７、コリメートレンズ５、１／４波長板４、ハーフミラー３及びＡＳ板８を介して光検出器９に照射されることになる。その結果、周知のように光検出器９に組み込まれている各受光部から得られる信号からフォーカスエラー信号及びトラッキングエラー信号を生成し、斯かるエラー信号を利用することによってフォーカシング制御動作及びトラッキング制御動作が行われる。斯かる光ピックアップ装置における制御動作が行われる結果、第１光ディスクＤ１、第２光ディスクＤ２及び第３光ディスクＤ３の各信号記録層Ｌ１、Ｌ２、Ｌ３に記録されている信号の読み出し動作を行うことが出来る。
【００２８】
Ｂｌｕ−ｒａｙ規格である第１光ディスクＤ１に記録されている信号の読み出し動作を行う第１レーザー光を生成放射する第１レーザーチップ、ＤＶＤ規格である第２光ディスクＤ２に記録されている信号の読み出し動作を行う第２レーザー光を生成放射する第２レーザーチップ及びＣＤ規格である第３光ディスクＤ３に記録されている信号の読み出し動作を行う第３レーザー光を生成放射する第３レーザーチップが同一の筐体内に組み込まれているレーザーダイオード１、第１レーザー光、第２レーザー光及び第３レーザー光を規格の異なる第１光ディスクＤ１、第２光ディスクＤ２及び第３光ディスクＤ３に設けられている信号記録層Ｌ１、Ｌ２及びＬ３に集光させる１つの対物レンズ７、そして、前記信号記録層Ｌ１、Ｌ２及びＬ３から反射される第１レーザー光、第２レーザー光及び第３レーザー光である制御用レーザー光が照射される１つの光検出器９にて構成された光ピックアップ装置は前述したように構成されている。
【００２９】
斯かる構成の光ピックアップ装置において、各光ディスクの表面と信号記録層との間にある保護層の厚さに起因して球面収差が発生するが、斯かる球面収差は周知のように収差補正用モーター６によって回転駆動されるリードスクリュー６Ａによるコリメートレンズ５の光軸方向への変位動作によって補正されるように構成されている。
【００３０】
また、第１レーザーチップ、第２レーザーチップ及び第３レーザーチップが１つの筐体
内に組み込まれているレーザーダイオード１は３波長レーザーダイオードと呼ばれるものであり、特許文献２(特開２０１１−１７５６９０号公報)に開示されているように第２レーザーチップと第３レーザーチップとが単一基板上に半導体技術であるモノリシック技術にて製造され、第１レーザーチップは、前記第２レーザーチップと第３レーザーチップとが形成されている基板とは異なる基板上に形成されている。即ち、前記第１レーザーチップ、第２レーザーチップ及び第３レーザーチップは、ハイブリッドと呼ばれる技術によって１つの筐体内に組み込まれている。
【００３１】
斯かる構成の３波長レーザーダイオードにおいて、第２レーザーチップと第３レーザーチップとは前述したようにモノリシック技術によって製造されるので、両レーザーチップ間、即ち発光点間の距離を短くすることが出来るとともにその発光点間の距離のバラツキを小さくすることが出来るという利点がある。一方、第１レーザーチップは、モノリシック技術にて製造される第２レーザーチップ及び第３レーザーチップに対してハイブリッド技術によって組み込まれるので、第２レーザーチップの発光点と第１レーザーチップの発光点との間の距離を短くすることが出来ないだけでなく、その発光点間の距離のバラツキが大きくなるという欠点がある。
【００３２】
第１レーザー光を放射する第１レーザーチップの発光点と第２レーザー光を放射する第２レーザーチップの発光点との間の距離が長くなると、レーザーダイオード１から放射される第１レーザー光の光軸と第２レーザー光の光軸との間にずれが生じることになる。その結果、光検出器９に組み込まれる受光部を第１レーザー光と第２レーザー光とで兼用させるとき、第１レーザー光の反射レーザー光である制御用レーザー光にて受光部に生成されるスポットの位置と第２レーザー光の反射レーザー光である制御用レーザー光にて受光部に生成されるスポットの位置とがずれることになる。
【００３３】
第１レーザー光の戻り光にて生成されるスポットの位置と第２レーザー光の戻り光にて生成されるスポットの位置がずれると同一の受光部を兼用することが出来ないので、斯かる光ピックアップ装置では、図６に示すようにハーフミラー３とＡＳ板８との間に光軸を補正する回折光学素子１０が設けられている。また、斯かる構成の光ピックアップ装置では、前記回折光学素子１０の光軸補正によって第１レーザー光の光軸を補正するように構成されている。
【００３４】
前記回折光学素子１０は第１レーザー光の光軸を補正するように、即ち第２レーザー光及び第３レーザー光の光軸に対しては何等作用しないように、即ち波長選択特性を有するように構成されている。光学素子に斯かる波長選択特性を付加する技術は周知であるのでその説明は省略する。
【００３５】
また、前記回折光学素子１０は光ピックアップ装置を構成するハウジング、即ちレーザーダイオード１、回折格子２、ハーフミラー３、１／４波長板４、コリメートレンズ５、ＡＳ板８及び光検出器９等が取り付けられている基台に設けられている取付部に接着固定されるが、前述したようにレーザーダイオード１に組み込まれている第１レーザーチップの発光点と第２レーザーチップの発光点との間の距離等にバラツキがあるので、第１レーザー光の戻り光である制御用レーザー光にて生成されるスポットが第２レーザー光の戻り光である制御用レーザー光にて生成されるスポットが受光される位置に設けられている受光部上に照射生成されないという問題がある。
【００３６】
本発明は、斯かる問題を解決することが出来る光ピックアップ装置を提供しようとするものである。
【課題を解決するための手段】
【００３７】
本発明は、少なくとも波長が異なる第１レーザー光及び第２レーザー光を放射するレーザーダイオードと、該レーザーダイオードから放射される第１レーザー光及び第２レーザー光を規格の異なる各光ディスクに設けられている各信号記録層に集光させる対物レンズと、各信号記録層から反射される第１レーザー光及び第２レーザー光の戻り光が照射されるとともに第１レーザー光と第２レーザー光の受光部を兼用する受光部が設けられている光検出器と、光軸方向への変位動作及び光軸を中心とする回転変位動作により第１レーザー光の光軸を調整し、該第１レーザー光を前記受光部に導く回折光学素子を備えた光ピックアップ装置において、前記回折光学素子が固定されるホルダーを設けるとともに該ホルダーを光ピックアップ装置のハウジングに対して直線変位可能及び回転変位可能に設け、且つ該ホルダーをハウジングに対して押圧する板バネの弾性力によって該ホルダーを調整可能状態に保持するようにしたことを特徴とするものである。
【００３８】
また、本発明は、板バネに一対の押圧腕部を設け、該押圧腕部をホルダーの上面に形成されている湾曲面に当接させることによってホルダーを調整可能状態に保持するようにしたことを特徴とするものである。
【００３９】
そして、本発明は、板バネを固定螺子の螺合によってハウジングに固定するとともに該板バネの位置を規定する位置規制部材をハウジングに形成したことを特徴とするものである。
【００４０】
更に、本発明は、ハウジングにＶ字溝を設け、該Ｖ字溝を構成する傾斜壁にて前記ホルダーを調整可能状態に保持するようにしたことを特徴とするものである。
【００４１】
また、本発明は、ホルダーをハウジングに接着剤にて固定することによって回折光学素子の固定動作を行うようにしたことを特徴とするものである。
【００４２】
そして、本発明は、ホルダー及びハウジングに接着剤を塗布する接着剤塗布部を形成したことを特徴とするものである。
【００４３】
更に、本発明は、ホルダーに形成されている接着剤塗布部とハウジングに形成されている接着剤塗布部とによって凹所を形成するようにしたことを特徴とするものである。
【発明の効果】
【００４４】
本発明の光ピックアップ装置は、レーザーダイオードから放射される光軸が異なる第１レーザー光及び第２レーザー光の中の第１レーザー光の光軸を補正するべく設けられている回折光学素子を光軸方向へ直進移動させるとともに光軸の周りに回転させることによって第１レーザー光の受光部に対するスポット位置を調整するようにしたので、第１レーザー光の受光部と第２レーザー光の受光部とを兼用することが出来るだけでなく、光ピックアップ装置のフォーカス制御動作等を行うための信号として正確な制御信号を得ることが出来る。
【００４５】
そして、本発明は、光軸補正を行う回折光学素子が固定されているホルダーを板バネの弾性力によってハウジングに対して光軸調整可能状態に保持するようにしたので、光軸調整のための直線変位動作及び回転変位動作を容易に行うことが出来る。
【００４６】
また、本発明は、ハウジングに対するホルダーの保持動作を行う板バネの位置を規制する位置規制部材を設けたので、板バネによるホルダーの保持動作を正確に行うことが出来る。
【００４７】
更に、本発明は、ハウジングにホルダーを固定する接着剤を塗布する接着剤塗布部を形
成したので、接着剤の塗布作業を正確且つ容易に行うことが出来る。
【００４８】
そして、本発明は、ホルダーに形成されている接着剤塗布部とハウジングに形成されている接着剤塗布部とによって凹所を形成するようにしたので、接着剤の所望の位地からの漏れることを防止することが出来る。
【図面の簡単な説明】
【００４９】
【図１】本発明に係る光ピックアップ装置の実施例を示す要部の正面図である。
【図２】本発明に係る光ピックアップ装置に組み込まれる部品の斜視図である。
【図３】本発明に係る光ピックアップ装置の要部を示す分解斜視図である。
【図４】本発明に係る光ピックアップ装置の要部を示す平面図である。
【図５】本発明に係る光ピックアップ装置の光検出器に組み込まれている受光部とスポットとの位置関係を示す説明図である。
【図６】本発明に係る光ピックアップ装置の光学系を示す概略図である。
【発明を実施するための形態】
【００５０】
１つのレーザーダイオードから放射される波長が異なる複数のレーザー光を使用して異なる規格の光ディスクに記録されている信号の読み出し動作を行うことが出来るように構成されているとともに少なくとも２つのレーザー光の光ディスクの信号記録層から反射される戻り光を受光する兼用受光部が組み込まれた光検出器を備えた光ピックアップ装置に組み込まれる光軸調整用の回折光学素子の固定位置を調整することが出来る光ピックアップ装置を提供する。
【実施例１】
【００５１】
図１は本発明の光ピックアップ装置の要部を示す正面図、図２は本発明の光ピックアップ装置に組み込まれる部品の斜視図、図３は本発明の光ピックアップ装置の要部を示す分解斜視図、図４は本発明の光ピックアップ装置の要部を示す平面図である。
【００５２】
図２において、１１は図６に示す回折光学素子１０が圧入又は接着により固定されているホルダーであり、上面に後述する板バネ１２の押圧腕部１２Ａ、１２Ｂが押圧される湾曲面１１Ａ、１１Ｂ及び接着剤が塗布される接着部１１Ｃ、１１Ｄが形成されている。また、前記ホルダー１１の下側側面に湾曲した当接部１１Ｅ、１１Ｆ、１１Ｇ、１１Ｈ(１
１Ｇ、１１Ｈは、図２において奥側に形成されている。)が形成されている。
【００５３】
回折光学素子１０が固定されるホルダー１１は前述したように構成されているが、斯かるホルダー１１は、図１及び図３に示すように光ピックアップ装置を構成する光学部品が固定されるハウジング１３に設けられている収納部１４に収納されるようにされている。前記収納部１４はＶ字溝として設けられており、該Ｖ字溝の傾斜壁１４Ａ及び１４Ｂに前記ホルダー１１に形成されている当接部１１Ｇ及び１１Ｈが当接するように関係つけられている。図示していないが、前記Ｖ字溝の奥側にも傾斜壁が形成されており、斯かる傾斜壁にホルダー１１に形成されている当接部１１Ｅ及び１１Ｆが当接するように構成されている。
【００５４】
前記ホルダー１１を押圧する板バネ１２は、該ホルダー１１に形成されている湾曲面１１Ａ及び１１Ｂに当接する押圧腕部１２Ａ及び１２Ｂが形成されているとともに固定螺子１５のハウジング１３に形成されている螺子孔１６への螺合によって該ハウジング１３に固定されるように構成されている。前記ハウジング１３に設けられている収納部１４に回折光学素子１０が固定されているホルダー１１を収納した状態において、固定螺子１５をハウジング１３に設けられている螺子孔１６へ螺合させることによって前記板バネ１２による前記ホルダー１１のハウジング１３に対する仮止めを行うことが出来る。即ち、板バ
ネ１２を固定螺子１５の螺子孔１６への螺合によってハウジング１３に固定すると、該板バネ１２に形成されている押圧腕部１２Ａ及び１２Ｂがホルダー１１に形成されている湾曲面１１Ａ及び１１Ｂに押圧当接した状態になる。
【００５５】
図３及び図４において、１３Ａは前記ハウジング１３に形成されている位置決め用突起であり、前記板バネ１２に形成されている位置決め用切欠部１２Ｃと係合するように設けられている。１３Ｂは前記ハウジング１３に形成されている位置決め用凹部であり、前記板バネ１２に形成されている位置決め用突部１２Ｄと係合するように設けられている。斯かる位置決め用突起１３Ａと位置決め用切欠部１２Ｃとの係合動作及び位置決め用凹部１３Ｂと位置決め用突部１２Ｄとの係合動作によって前記板バネ１２の位置決めを行うことが出来る。従って、前記板バネ１２によるホルダー１１のハウジング１３に対する固定保持動作を正確に行うことが出来る。
【００５６】
前述したように板バネ１２によるホルダー１１に対するハウジング１３への固定保持動作は行われるが、斯かる状態にあるとき、図１に示すように板バネ１２に設けられている押圧腕部１２Ａ及び１２Ｂの押圧力がホルダー１１の湾曲面１１Ａ及び１１Ｂに対して作用するので、該ホルダー１１に形成されている当接部１１Ｇ及び１１ＨがＶ字溝の傾斜壁１４Ａ及び１４Ｂに押圧当接された状態になる。同様に前記ホルダー１１に形成されている当接部１１Ｅ及び１１Ｆが奥に設けられているＶ字溝の傾斜壁に押圧当接した状態になる。従って、斯かる状態にあるとき、ホルダー１１はＶ字溝の傾斜壁１４Ａ及び１４Ｂ、そして図示しない傾斜壁への当接部１１Ｇ、１１Ｈ、１１Ｅ及び１１Ｆの当接関係によって収納位置に支持されているので、図１に示す矢印Ａ及びＢ方向への回転変位動作可能及び図４に示す矢印Ｃ及びＤ方向への直線変位動作可能状態に保持された状態になる。
【００５７】
斯かる構成において、ホルダー１１は図１に示す矢印Ａ及びＢ方向への回転変位動作を可能に支持されているが、斯かる回転変位動作の方向は、レーザー光の光軸を中心として行われるように構成されている。また、ホルダー１１は図４に示す矢印Ｃ及びＤ方向への直線変位動作を可能に支持されているが、斯かる直線変位動作の方向は、レーザー光の光軸方向に対して行われるように構成されている。
【００５８】
前述したように回折光学素子１０が固定されているホルダー１１のハウジング１３への板バネ１２による固定保持動作は行われるが、光検出器９に組み込まれている受光部とスポットとの関係について図５を参照にして説明する。
【００５９】
図５において、９Ａ、９Ｂ及び９Ｃは、光検出器９内に組み込まれているメインビーム用受光部、第１サブビーム用受光部及び第２サブビーム用受光部であり、例えば各々４分割センサーにて構成されている。斯かるメインビーム用受光部９Ａ、第１サブビーム用受光部９Ｂ及び第２サブビーム用受光部９Ｃは、第１レーザー光及び第２レーザー光の戻り光が照射される受光部として作用するように、即ち第１レーザー光と第２レーザー光の戻り光を受光する受光部を兼用するように構成されている。また、第３レーザー光を受光する受光部は第３レーザー光のみを受光するように設けられており、本実施例では省略している。
【００６０】
図５において、Ｍ１は第２レーザー光の信号記録層からの反射光である制御用レーザー光にて生成される第２レーザー光のメインビームスポットであり、メインビーム用受光部９Ａの中央部、即ち設定位置である最適な位置に位置している状態を示すものである。Ｂ１、Ｂ２及びＢ３は第１レーザー光の信号記録層からの反射光である制御用レーザー光にて生成される第１レーザー光のメインビームスポットであり、Ｂ１はメインビーム用受光部９Ａの中央部、即ち設定位置に対して直線方向にずれており、Ｂ２及びＢ３は直線方向にずれているとともに回転方向にもずれた状態を示すものである。
【００６１】
第１レーザー光のメインビームスポットの位置がＢ１に示す位置にあるとき、即ちメインビーム用受光部９Ａの設定位置に対して直線的方向にのみずれている場合には、回折光学素子１０を光軸方向へ直線変位させることによってずれを補正することが出来、メインビームスポットの位置がＢ２またはＢ３の位置にあるとき、即ちメインビーム用受光部９Ａの設定位置に対して直線方向及び回転方向にもずれている場合には、回折光学素子１０を光軸方向へ直線変位させるとともに光軸を中心として回転させることによって両方のずれを補正することが出来る。
【００６２】
本発明では、前述したように板バネ１２の弾性力によってハウジング１３に設けられている収納部１４に調整可能状態に保持された状態にあるホルダー１１を図４の矢印ＣまたはＤ方向へ直線変位させるとともに図１の矢印ＡまたはＢ方向へ回転変位させることによって第１レーザー光の反射光にて生成されるスポットの受光部に対する位置ずれを補正することが出来る。
【００６３】
前述したように調整可能状態に保持された状態にあるホルダー１１の直線変位動作及び回転変位動作を行うことによって回折光学素子１０を最適な位置に仮固定することが出来る。斯かる固定動作を行った状態において、ホルダー１１に設けられている接着剤塗布部１１Ｃ及び１１Ｄに接着剤を塗布することによって該ホルダー１１をハウジング１３に対して強固に固定することが出来る。また、ハウジング１３の前記ホルダー１１に設けられている接着剤塗布部１１Ｃ及び１１Ｄに対向する位置には接着剤塗布部１３Ｃ及び１３Ｄが形成されている。
【００６４】
前記ホルダー１１に形成されている接着剤塗布部１１Ｃ及び１１Ｄと前記ハウジング１３に形成されている接着剤塗布部１３Ｃ及び１３Ｄとによって形成される凹所に例えば紫外線硬化型接着剤を塗布し、該接着剤を紫外線の照射によって硬化することにより前記ホルダー１１をハウジング１３に対して強固に固定することが出来る。斯かるホルダー１１の固定動作によって該ホルダー１１に固定されている回折光学素子１０を最適な位置に固定することが出来る。
【００６５】
前記ホルダー１１に形成されている接着剤塗布部１１Ｃ及び１１Ｄと前記ハウジング１３に形成されている接着剤塗布部１３Ｃ及び１３Ｄとによって接着剤が塗布される凹所を形成するようにしたので、接着剤の漏れを防止することが出来るだけでなく接着剤の所望の位置への塗布作業を確実且つ容易に行うことが出来る。
【００６６】
前述したようにレーザー光の光軸のずれを補正する回折光学素子１０の光軸方向への直線変位動作及び光軸を中心とする回転方向への変位動作を正確に行うことが出来るので、光軸補正を正確に行うことが出来る。従って、光軸の異なる複数のレーザー光を放射するレーザーチップが組み込まれたレーザーダイオードを使用するとともに光検出器を兼用するように構成された光ピックアップ装置に実施した場合に本発明は非常に大きな効果を奏するものである。
【産業上の利用可能性】
【００６７】
本発明は、Ｂｌｕ−ｒａｙ規格の光ディスク、ＤＶＤ規格の光ディスク及びＣＤ規格の光ディスクに記録されている信号を読み出すための光ピックアップ装置だけでなく、その他の異なる規格の光ピックアップ装置にも応用することが出来る。
【００６８】
また、３波長レーザーダイオードを使用する光ピックアップ装置に実施した場合について説明したが、２波長レーザーダイオードを使用する光ピックアップ装置に実施することも勿論可能である。
【符号の説明】
【００６９】
１      レーザーダイオード
３      ハーフミラー
４      １／４波長板
５      コリメートレンズ
７      対物レンズ
８      ＡＳ板
９      光検出器
１０    回折光学素子
１１    ホルダー
１２    板バネ
１３    ハウジング
１４    収納部
【図１】
2013186929.tif 000003
【図２】
2013186929.tif 000004
【図３】
2013186929.tif 000005
【図４】
2013186929.tif 000006
【図５】
2013186929.tif 000007
【図６】
2013186929.tif 000008